(57)【特許請求の範囲】
【請求項１】
上方が開放した長尺の略半円筒状の洗浄槽と、該洗浄槽の下部側に形成した排水部に対応して洗浄槽の外側に設けた排水用樋と、前記洗浄槽の長手方向に沿って架設し、駆動源によって駆動される回転軸と、該回転軸に軸方向に離間して径方向に突設され、前記洗浄槽内で合成樹脂製フィルムを掻揚げて回転させることにより洗浄水に出入させて洗浄する複数枚の洗浄羽根と、前記洗浄槽の他側板先端側に切り欠き状に形成した重量フィルム排出部と、該重量フィルム排出部の側方に位置して前記回転軸の先端側に径方向に突設したフィルム排出羽根と、前記重量フィルム排出部より先端側に位置して前記回転軸に設けた半円筒状の軽量フィルム排出部とから構成し、前記洗浄羽根は先端側が回転方向に略く字状に屈曲した掻揚げ部になっている合成樹脂製フィルムの洗浄装置。
【請求項２】
前記洗浄羽根は、回転方向前面を粗面にしてあることを特徴とする請求項１記載の合成樹脂製フィルムの洗浄装置。
【請求項３】
前記洗浄羽根は、多孔板で形成してあることを特徴とする請求項１記載の合成樹脂製フィルムの洗浄装置。
【請求項４】
前記合成樹脂製フィルムは、比重が１以下の軽量フィルム及び比重が１を超える重量フィルムの何れか一方又は両方である請求項１記載の合成樹脂製フィルムの洗浄装置。
【発明の詳細な説明】
【技術分野】
【０００１】
本発明は、例えばビニールハウス等に使用したことで土、泥、肥料、農薬等（以下、異物という。）で汚染した農業用の合成樹脂製フィルムを洗浄して再使用を可能にする場合や、土木作業で異物の付着した合成樹脂製フィルムを洗浄するための合成樹脂製フィルムの洗浄装置に関する。
【背景技術】
【０００２】
ビニールハウスや苗の囲い、その他各種の農作業に使用する塩化ビニル等の合成樹脂製フィルムは、裾の地中への埋設、散水や降雨による泥跳ね、肥料や農薬の散布による被着等により異物に汚染されることから、これまでは廃棄することが行われて来た。しかし、近年は環境汚染の防止、資源の再利用、そして経費の節減の目的から、洗浄して再利用することが行われるようになっている。合成樹脂製フィルムを再利用するには、固着している異物を洗浄して除去する必要があり、このための手段として、水槽内にスクリューコンベアを配置し、汚染した被洗物を洗浄水に浸漬してスクリューコンベアを回転させながら洗浄する構成のフィルム洗浄装置が知られている。
【０００３】
また、回転軸に径方向に複数本の攪拌棒を突出させて構成した攪拌部を洗浄ドラム内に設けた洗浄ドラム型フィルム洗浄装置が知られている。更に、内部に回転する羽根車を有し、上面に散水用のシャワー装置および下部に排水口を有する円筒タイプのドラム型をした農業用ビニールフィルム廃棄物の洗浄装置が提案されている（特許文献１）。
【先行技術文献】
【特許文献】
【０００４】
【特許文献１】実用新案登録第３１４５６０３号公報
【発明の概要】
【発明が解決しようとする課題】
【０００５】
上述したフィルム洗浄装置は、スクリューの回転で被洗物を送りながらスクリューの面が接触面となって被洗物を擦ることで洗浄する方法である。しかし、被洗物はスクリューに巻き付いた状態のままで送られ、この間にスクリューとは一部が擦れる程度であるため、固着した異物を確実に洗浄できないという欠点、スクリューと洗浄槽との隙間に被洗物が挟まって機械が止まる事態が起きるという欠点がある。
【０００６】
また、洗浄ドラム型フィルム洗浄装置は、洗浄ドラムを縦置きすると比重の重い合成樹脂製フィルム等の被洗物が洗浄槽の底に沈むことから均等に洗浄出来ないという欠点、洗浄ドラムを横置きすると被洗物の自動送りが困難であることからバッチ処理を行わなければならず洗浄効率が悪いという欠点、更に回転翼は丸棒のために被洗物の擦り洗いが出来ないことから固着した異物を確実に除去できないという欠点がある。
【０００７】
更に、特許文献１の技術は、上部からシャワー状の散水を行うことによりフィルムの表面に付着している異物を取り除く方法であるが、フィルムには異物が強固に付着していることから、擦る等の方法を行うのでなければならず、シャワー状の散水で異物を完全に除去することは出来ないという欠点がある。
【０００８】
本発明は上述した従来技術の諸欠点に鑑み、また合成樹脂製フィルムには比重が相違するものがあることを考慮してなされたもので、合成樹脂製フィルムに強固に固着している泥、肥料、農薬等の異物でも自動洗浄しながら確実に除去するので洗浄効率に優れており、かつ比重の相違する合成樹脂製フィルムを一緒に洗浄することも可能な合成樹脂製フィルムの洗浄装置を提供することを目的とする。
【課題を解決するための手段】
【０００９】
上述した課題を解決するために構成した本発明の手段は、上方が開放した長尺の略半円筒状の洗浄槽と、該洗浄槽の下部側に形成した排水部に対応して洗浄槽の外側に設けた排水用樋と、前記洗浄槽の長手方向に沿って架設し、駆動源によって駆動される回転軸と、該回転軸に軸方向に離間して径方向に突設され、前記洗浄槽内で合成樹脂製フィルムを掻揚げて回転させることにより洗浄水に出入させて洗浄する複数枚の洗浄羽根と、前記洗浄槽の他側板先端側に切り欠き状に形成した重量フィルム排出部と、該重量フィルム排出部の側方に位置して前記回転軸の先端側に径方向に突設したフィルム排出羽根と、前記重量フィルム排出部より先端側に位置して前記回転軸に設けた半円筒状の軽量フィルム排出部とから構成し、前記洗浄羽根は先端側が回転方向に略く字状に屈曲した掻揚げ部にしたものからなる。
【００１０】
そして、前記洗浄羽根は、回転方向前面を粗面にするとよい。
【００１１】
また、前記洗浄羽根は、多孔板で形成するとよい。
【００１２】
更に、前記合成樹脂製フィルムは、比重が１以下の軽量フィルム及び比重が１を超える重量フィルムの何れか一方又は両方であってよい。
【発明の効果】
【００１３】
本発明は上述の如く構成したから、以下の諸効果を奏する。
（１）先端側にフィルム排出部を設けた洗浄槽内で、先端側が掻揚げ部になった洗浄羽根により合成樹脂製フィルムを回転させて大きな流れの洗浄水中で洗浄するから、固着している土、肥料、農薬等の異物を確実に除去することができる。しかも、洗浄する合成樹脂製フィルムは洗浄槽の基端側から投入して洗浄した後、先端側から自動的に排出するので洗浄作業の効率に優れている。
（２）洗浄羽根は１回転する間に洗浄水中を半回転するだけであり、水中で回転する羽根に比して水の抵抗による負荷が半減するので駆動源に掛る負荷も小さくできる。
（３）洗浄槽の他側板先端側に切り欠き状に重量フィルム排出部を形成し、その側方にフィルム排出羽根を配置した構成にしたので、洗浄した重量フィルムを排出する機構が簡潔であるし、洗浄した重量フィルムは速やかに排出するので駆動源に掛る負荷を小さくすることができる。
（４）フィルムの洗浄羽根、フィルム排出羽根及び軽量フィルム排出部は同一の回転軸によって回転駆動する構成にしたから、洗浄装置は簡潔な機構に構成できるし、洗浄羽根、フィルム排出羽根及び軽量フィルム排出部は同調して回転するのでフィルムの洗浄及び排出作業を無駄なく効率的に行うことができる。
（５）洗浄羽根は回転方向前面を租面にして摩擦係数を高くすることにより、合成樹脂製フィルムに擦るように摺接するから強固に固着している異物でも確実に除去することができる。
（６）洗浄羽根は多孔板で形成することで摩擦係数を高くしてあるから、合成樹脂製フィルムに付着している異物を摺接時に除去し、かつ多数の孔縁が異物を削り取って確実に除去することができる。しかも、多孔板は洗浄水が抜けることで回転中に受ける洗浄水の抵抗が小さいから、駆動源に掛る負荷を減少できる。
（７）塩化ビニルのように比重が１より大きく洗浄槽に沈む合成樹脂製フィルムであっても、先端側が屈曲して掻揚げ部になった洗浄羽根が洗浄槽の底部側から掬い上げて回転させるようにしたから、合成樹脂製フィルムに付着している異物を確実に除去することができる。
【図面の簡単な説明】
【００１４】
【図１】図１は本実施の形態に係る合成樹脂製フィルムの洗浄装置の正面図である。
【図２】合成樹脂製フィルムの洗浄装置の背面図である。
【図３】合成樹脂製フィルムの洗浄装置の平面図である。
【図４】合成樹脂製フィルムの洗浄装置の左側面図である。
【図５】合成樹脂製フィルムの洗浄装置を構成する洗浄槽の斜視図である。
【発明を実施するための形態】
【００１５】
以下、本発明の実施の形態を図面に基づき説明する。図において、１は鋼材を組んで構成した架台、２は該架台１に搭載した鋼板製の洗浄槽を示す。該洗浄槽２は縦断面略凹湾曲状で、上方が開放した長尺のドラム部２Ａと、該ドラム部２Ａの長手方向基端を閉塞する一側板２Ｂ及びドラム部２Ａの長手方向他端を閉塞する略Ｕ字状の他側板２Ｃと、洗浄中に洗浄水が周囲に跳ねるのを防止するために、ドラム部２Ａの一側上端から一側板２Ｂにかけて略Ｌ字状に立設した横長の飛散防止板２Ｄと、前記他側板２Ｃの先端側に切り欠き状に形成した重量フィルム排出部２Ｅと、前記他側板２Ｃの外側に後述する回転軸６と同心状に固着した半円筒状の軽量フィルム排出部２Ｆとから構成してある。そして、ドラム部２Ａの下端側はメッシュ状に形成して排水部２Ｇとしてあり、洗浄により生成される汚染水を後述する排水用樋３に排出するようになっている。
【００１６】
上述の構成からなる洗浄槽２内に洗浄水を蓄えて合成樹脂製フィルムの洗浄を行うが、洗浄対象とする合成樹脂製フィルムには、比重が１を越えることで洗浄水に沈む重量のある塩化ビニル製フィルム（以下、フィルムという。）、或いは比重が１以下で洗浄水に浮遊する軽量のポリエチレン製フィルム等がある。
【００１７】
３は前記洗浄槽２の排水部２Ｆに対応してドラム部２Ａの外面に設けた排出用樋を示す。該排出用樋３は基端側から先端側に向けて前下がりに傾斜した底板３Ａと、側板３Ｂ、３Ｂとから縦断面略凵状をなし、前後端に閉塞板３Ｃ、３Ｄを設けた形状に構成してあり、一側側面３Ｂの先端側には開閉弁を有する排水管３Ｅが設けることにより、排水部２Ｆを介して洗浄槽２から流下する汚染水を外部に放出するようにしてある。
【００１８】
４、４は後述する回転軸６を支持するための一対の支持体で、該支持体４、４は洗浄槽２の一側板２Ｂと他側板２Ｃの外側に位置して架台１に立設し、各支持体４上には軸受５が設けてある。６は軸方向両端側が該軸受５、５に支持されることにより、ドラム部２Ａの上端側に長手方向に沿って架設した回転軸、７、７、・・・は該回転軸６の基端側６Ａから先端側６Ｂにかけて軸方向に離間し、かつ径方向に突設した複数枚の洗浄羽根で、該各洗浄羽根７は回転軸６に固着する腕部７Ａと、該腕部７Ａに固着したステンレススチール製の矩形状の多孔板からなる羽根本体７Ｂとからなり、夫々周方向に９０度変位させて回転軸６に設けてある。そして、各洗浄羽根７は先端側を略く字状に、かつ基端側方向に向けて僅かに傾斜させて屈曲形成することにより掻揚げ部７Ｃとしてある。
【００１９】
８、８は回転軸６の先端側に径方向に突設した２枚のフィルム排出羽根を示す。該各フィルム排出羽根８は回転軸６に固着した取付腕８Ａと、該取付腕８Ａの先端側に固着した支持板８Ｂと、該支持板８Ｂの先端から突出するように設けたゴム板製の掃出し部８Ｃとから構成してある。そして、排出羽根８は、洗浄されながら洗浄槽２内を基端側から先端側にかけて流動するフィルムを掻き揚げて重量フィルム排出部２Ｅから外側に掻き出すものである。
【００２０】
９は回転軸６を駆動して洗浄羽根７及びフィルム排出羽根８を回転させるための駆動部で、該駆動部９は洗浄槽２の一側寄りに配置し、ケーシングに格納した駆動源としての電動モータ９Ａと、該電動モータ９Ａの出力軸に嵌着した駆動プーリー９Ｂと。回転軸６の基端側軸端６Ａに嵌着した従動プーリー９Ｃと、駆動プーリー９Ｂと従動プーリー９Ｃとの間に巻装した伝動ベルト９Ｄとから構成してあり、駆動部９によって回転軸６は図２中矢示イ方向に回転駆動されるようになっている。
【００２１】
本実施の形態に係る農業用樹脂製フィルムの洗浄装置は上述の構成からなるもので、次にその作用について説明する。洗浄槽２内には図示しない給水源から洗浄水を常時供給し、軽量フィルム排出部２Ｆからオーバーフローさせている。この洗浄槽２内に開放している上方からフィルムを投入し、駆動部９を駆動して洗浄羽根７を図１及び図２に示すように矢示イ方向に回転させる。各洗浄羽根７は先端側が回転方向に屈曲した掻揚げ部７Ｃになっているから、洗浄槽２の底部側に沈降しているフィルムを底部側から順次掬い上げ、水面より持ち上げて半回転させて再び洗浄水に投入する。
【００２２】
このように、フィルムは洗浄水に打ち付けられることで強固に固着している異物を除去することができる。また、洗浄羽根７の回転によって洗浄槽２内には大きな渦流が生成されることで、フィルムは揉み洗いされ、またフィルム同士が擦れることによりフィルムに固着している異物を効果的に除去することができる。
【００２３】
しかも、洗浄羽根７は多孔板を用いることで回転方向の前面は粗面になっており、平坦な板より摩擦係数を高くしてあるから、回転中にフィルムに付着している異物を摺接時に擦って除去し、かつ多数の孔縁が強固に固着している異物を削り取ることで確実に除去することができる。しかも、多孔板からなる洗浄羽根７は洗浄水が前面から後面側に抜けることで回転中に受ける洗浄水の抵抗が小さいから、駆動源に掛る負荷を小さくすることができる。
【００２４】
このようにして洗浄したフィルムのうち重量のあるフィルムは、排出羽根８によって掻き揚げられて重量フィルム排出部２Ｅから槽外へと排出される。他方、重量フィルムの中に混ざっている軽量フィルムは、軽量フィルム排出部２Ｆからオーバーフローする洗浄水と共に槽外に流出させる。
上述した洗浄過程において洗浄水は土、泥等の異物が混入して汚染水となり、排水部２Ｇから図示しない排水路等に放出されることで洗浄槽２内から土、泥等の異物を排出する。
【００２５】
なお、本実施の形態では農業用合成樹脂製フィルムを洗浄する場合を例に挙げたが、本発明による洗浄装置は農業分野で使用する合成樹脂製フィルムの洗浄に限定して使用するものではなく、漁業分野、林業分野等で異物の付着した或いは汚染した合成樹脂製フィルムであれば全て洗浄の対象に含むものである。また、本発明による洗浄装置は、軽量フィルムのみを洗浄することも可能である。
【００２６】
また、洗浄羽根は多孔板に限られるものではなく、回転方向の前面を例えばエンボス加工により粗面にして摩擦係数を高くした洗浄羽根を用いてもよい。
【符号の説明】
【００２７】
２        洗浄槽
２Ｃ 他側板
２Ｅ      重量フィルム排出部
２Ｆ      軽量フィルム排出部
３        排水用樋
６        回転軸
７        洗浄羽根
７Ｃ      掻揚げ部
８        フィルム排出羽根
【図１】
0005955549.tif 000002
【図２】
0005955549.tif 000003
【図３】
0005955549.tif 000004
【図４】
0005955549.tif 000005
【図５】
0005955549.tif 000006